(57)【要約】【課題】既設の蝶番に簡単に取り付けることが可能なヒンジ型ダンパー装置を提供し、蓋の開閉操作による衝撃を抑制することが可能なローホリゾントライトを提供する。【解決手段】蝶番２４の一方に支持される支持部１１と；蝶番の他方が取り付けられる部材２３を挟持して支持される挟持部１２と；支持部と挟持部を、ダンパー作用を有して回動可能に軸支するダンパー部１３と；を具備するヒンジ型ダンパー装置１０を構成する。【選択図】        図１
2011043213.tif 000002
【特許請求の範囲】
【請求項１】
蝶番の一方に支持される支持部と；
蝶番の他方が取り付けられる部材を挟持して支持される挟持部と；
支持部と挟持部を、ダンパー作用を有して回動可能に軸支するダンパー部と；
を具備していることを特徴とするヒンジ型ダンパー装置。
【請求項２】
前記ダンパー部は、ボルトとナットからなる軸支部を有し、ボルトとナットの締め付け力による摩擦抵抗によってダンパー作用を得るようにしたことを特徴とする請求項１記載のヒンジ型ダンパー装置。
【請求項３】
ホリゾント面を照明する光源と；
光源を収納する本体と；
本体の開口部を開閉する蓋と；
蓋と本体を開閉可能に支持する蝶番と；
この蝶番に支持部と挟持部が支持され、蓋を本体に対しダンパー作用を有して開閉可能にする請求項１または２記載のヒンジ型ダンパー装置と；
を具備していることを特徴とするローホリゾントライト。
【発明の詳細な説明】
【技術分野】
【０００１】
本発明は、例えば、蓋の開閉に用いる蝶番に対してダンパー作用を付加するようにしたヒンジ型ダンパー装置およびこのヒンジ型ダンパー装置を用いたローホリゾントライトに関する。
【背景技術】
【０００２】
この種、ローホリゾントライトは、舞台やスタジオなどの演出空間において、ホリゾント面を照明するために用いられ、例えば、特許文献１で示されるように、複数台が舞台の床面や床面から掘り込んで形成したピット内に設置され使用される。
【先行技術文献】
【特許文献】
【０００３】
【特許文献１】特開平６−２０３９７３号公報
【特許文献２】特開２００６−１０５２７５号公報
【発明の概要】
【発明が解決しようとする課題】
【０００４】
一方、ローホリゾントライトが設置される舞台やスタジオは、大道具などを設置しては取り壊すという作業が頻繁に繰り返され、床面やピット内には大量のゴミや塵埃が侵入する。このため、ローホリゾントライトやローホリゾントライトを複数台設置するための架台には、ゴミや塵埃の侵入を防ぐための開閉可能な蓋が設けられ、この蓋は使用時に開放され不使用時には閉じられている。
【０００５】
しかしながら、ローホリゾントライトは、小規模な舞台やスタジオでも５０台程度、大規模になると１００台以上が使用され、例えば、特許文献１の図４に示されるように、床面やピット内に設置されるため、蓋の開閉作業だけでも大掛かりな作業となる。このため、ローホリゾントライトを架台に設置した場合には、器具個々に蓋を設けるのではなく、架台に蓋を設けることによって、複数台をまとめた蓋を用いる。このため、蓋は大きく重くなり、蓋の開閉操作によって大きな衝撃が生じ、架台に設置された器具のランプ切れや、架台自体が動いてしまう問題が発生する。
【０００６】
一方、既に舞台やスタジオに設置され使用されているローホリゾントライトの架台自体をダンパー式の蓋を備えたものに交換することは、設備費用が大幅にかかることから実現は難しい。また、既に設置されているローホリゾントライトや架台における蓋のヒンジを、例えば、特許文献２に示されるようなダンパー作用を有するヒンジ装置に交換する方法もあるが、その交換作業に当たっては蓋や架台本体に、新たなヒンジを取り付けるためのねじ孔等を形成しなければならず作業に手間と時間がかかり、常に舞台やスタジオで使用されているこれらローホリゾントライトや架台における取付作業としては現実的には難しい。このため、この種のローホリゾントライトにおいては、如何に、コスト的に有利で、かつ簡単な手段によって、蓋の開閉操作の際に衝撃を発生させないようにするかが重要な課題となっている。
【０００７】
本発明は、上記の課題に鑑みなされたもので、既設の蝶番に簡単に取り付けることが可能なヒンジ型ダンパー装置を提供し、蓋の開閉操作による衝撃を抑制することが可能なローホリゾントライトを提供しようとするものである。
【課題を解決するための手段】
【０００８】
請求項１に記載のヒンジ型ダンパー装置の発明は、蝶番の一方に支持される支持部と；蝶番の他方が取り付けられる部材を挟持して支持される挟持部と；支持部と挟持部を、ダンパー作用を有して回動可能に軸支するダンパー部と；を具備していることを特徴とする。本発明によれば、既設の蝶番に簡単に取り付けることが可能なヒンジ型ダンパー装置を構成することができる。
【０００９】
本発明において、ヒンジ型ダンパー装置は、ローホリゾントライトを複数台設置するための架台に用いられる大きな蓋の蝶番に取り付けられて使用されることが好適であるが、アッパーホリゾントライトでもよく、さらに、防犯灯、道路灯、投光器等の大型の照明器具における蓋、さらには大型のコンピュータ等のＯＡ機器における蓋や扉に適用されてもよい。さらに、小型の照明器具やパソコン等の小型のＯＡ機器、携帯電話等の携帯端末器等に適用されてもよく、適用される範囲は、特定された機器、装置等に限定されない。同時に、ヒンジ型ダンパー装置が取り付けられる蝶番も、上記した各種の機器・装置における蓋や扉に用いられる平型蝶番が好適であるが、段付の蝶番、抜き差しが可能な蝶番、両方向に動く自由蝶番等、全ての蝶番が適用され、特定の形状や大きさ、特定の機能を有するものには限定されない。
【００１０】
蝶番の一方に支持される支持部は、蝶番の一方と、この一方の蝶番を取り付ける部材、例えば、本体ケースとの間で挟持され、蝶番を本体ケースに取り付けるためのボルト等をそのまま用いて支持されることが好ましいが、挟持することなく、一方の蝶番に支持部を外側から被せるようにして配置し、支持部の外側から、ボルト等をそのまま用いて、若しくは、別個のボルト等を用いて支持するようにしてもよい。
【００１１】
蝶番の他方が取り付けられる部材を挟持して支持される挟持部は、蝶番の他方が取り付けられる部材、例えば、蓋の板材を挟持部に差し込んで支持されることが好ましいが、さらに強固に支持させるために、蓋の板材と挟持部をボルトとナット等により固定するようにしても差し支えない。
【００１２】
支持部と挟持部を、ダンパー作用を有して回動可能に軸支するダンパー部は、ボルトとナットの締め付け力による摩擦抵抗によってダンパー作用を得るようにすることが好ましいが、例えば、コイルバネによる反発力、空気圧やオイル圧等を利用してダンパー作用を得るようにしてもよい。
【００１３】
請求項２に記載の発明は、請求項１記載のヒンジ型ダンパー装置において、前記ダンパー部は、ボルトとナットからなる軸支部を有し、ボルトとナットの締め付け力による摩擦抵抗によってダンパー作用を得るようにしたことを特徴とする。本発明によれば、既設の蝶番に簡単に取り付けることが可能な、簡易な構成のヒンジ型ダンパー装置を構成することができる。
【００１４】
本発明において、ボルトとナットの締め付け力による摩擦抵抗は、ボルトとナットのみによって得るようにしてもよいが、平ワッシャー、波ワッシャー、さらには、ファイバー製のワッシャー等を適宜選択して確実に摩擦抵抗が得られるようにしてもよい。
【００１５】
請求項３に記載のローホリゾントライトの発明は、ホリゾント面を照明する光源と；光源を収納する本体と；本体の開口部を開閉する蓋と；蓋と本体を開閉可能に支持する蝶番と；この蝶番に支持部と挟持部が支持され、蓋を本体に対しダンパー作用を有して開閉可能にする請求項１または２記載のヒンジ型ダンパー装置と；を具備していることを特徴とする。本発明によれば、蓋の開閉操作による衝撃を抑制することが可能なローホリゾントライトを構成することができる。
【００１６】
本発明において、光源は、一般的にはハロゲンランプが用いられるが、白熱電球や蛍光ランプ等の放電ランプでもよく、特定のランプには限定されない。光源を収納する本体は、光源を有する器具自体を構成する本体であっても、光源を有する器具を複数個設置する場合に用いられる架台を構成するための本体であってもよい。本体の開口部を開閉する蓋は、鉄板等の金属で強固に構成されたものであることが好ましいが、合成樹脂で構成されたものでも、さらには、ガラスを嵌め込んだアルミサッシ等であってもよく、特定の材質、大きさには限定されない。
【発明の効果】
【００１７】
請求項１記載の発明によれば、蝶番の一方に支持される支持部と、蝶番の他方が取り付けられる部材を挟持して支持される挟持部と、支持部と挟持部を、ダンパー作用を有して回動可能に軸支するダンパー部により、既存の蝶番に簡単に取り付けることが可能なヒンジ型ダンパー装置を提供することができる。
【００１８】
請求項２記載の発明によれば、ボルトとナットの締め付け力による摩擦抵抗によってダンパー作用を得るようにしたので、既存の蝶番に簡単に取り付けることが可能な、簡易な構成のヒンジ型ダンパー装置を提供することができる。
【００１９】
請求項３記載の発明によれば、請求項１または２記載のヒンジ型ダンパー装置を用いることにより、蓋の開閉操作による衝撃を抑制することが可能なローホリゾントライトを提供することができる。
【図面の簡単な説明】
【００２０】
【図１】本発明の第１実施形態であるヒンジ型ダンパー装置および一部を省略したローホリゾントライトを示す斜視図。
【図２】図１のヒンジ型ダンパー装置をローホリゾントライトに取り付けた状態を示し、（ａ）はその正面図、（ｂ）はその側面図、（ｃ）はヒンジ型ダンパー装置を分解して示す斜視図。
【図３】図１のヒンジ型ダンパー装置をローホリゾントライトに取り付けた状態を示し、（ａ）は蓋を閉じた状態を示す側面図、（ｂ）は蓋を開放した状態を示す側面図。
【図４】図１のローホリゾントライトを示し、（ａ）は一部を切り欠いて示す正面図、（ｂ）は側面図。
【図５】図１のローホリゾントライトを舞台に設置した状態を断面して示す説明図。
【図６】図１のヒンジ型ダンパー装置およびローホリゾントライトの第１の変形例を示す斜視図。
【図７】図１のヒンジ型ダンパー装置およびローホリゾントライトのさらなる変形例を示し、（ａ）は第２の変形例を示す斜視図、（ｂ）は第３の変形例を示す斜視図。
【発明を実施するための形態】
【００２１】
以下、本発明のヒンジ型ダンパー装置およびヒンジ型ダンパー装置を用いたローホリゾントライトの実施形態について説明する。
【実施例１】
【００２２】
先ず、ヒンジ型ダンパー装置につき説明する。図１〜図３に示すように、本実施例のヒンジ型ダンパー装置１０は、平型蝶番の一方に支持される支持部１１、平型蝶番の他方が取り付けられる部材を挟持して支持される挟持部１２、支持部と挟持部を、ダンパー作用を有して回動可能に軸支するダンパー部１３で構成する。
【００２３】
支持部１１は、鋼板材をプレス加工することにより構成され、両端部に軸受部１１ａが形成され、この両端の軸受部を連接するようにして固定部１１ｂが一体に形成されている。両端の軸受部１１ａには、軸線ａ−ａ上に位置して軸孔１１ｃを形成し、固定部１１ｂには２個の固定孔１１ｄを形成する（図２（ｃ））。
【００２４】
この固定孔１１ｄは、後述するローホリゾントライト２０に取り付けられた平型蝶番２４の一方、すなわち、本体２２側に取り付けられた一方の蝶番２４ａに形成された２個の固定孔２４ａ１と、同一若しくは、若干大きな孔径で、かつ同一のピッチを有して形成される。
【００２５】
挟持部１２は、支持部１１と同様に、鋼板材をプレス加工することにより構成され、両端部にＪ字状をなす軸受部１２ａが形成され、この両端の軸受部１２ａを連接するようにして連結部１２ｂが設けられる。この連接部１２ｂは、コ字状をなす板材が両端の軸受部１２ａの内面にスポット溶接等で固定されることにより構成される。両端の軸受部１２ａには、軸線ａ−ａ上に位置して軸孔１２ｃを形成する（図２（ｃ））。
【００２６】
Ｊ字状をなす両端の軸受部１２ａには溝部１２ｄが形成され、この溝部１２ｄの幅寸法ｔ（図２（ｂ））は、後述するローホリゾントライト２０における平型蝶番板２４の他方の蝶番２４ｂが取り付けられた蓋２３の板材の厚さ寸法と略等しいか、多少大きめの寸法を有して形成され、板材からなる蓋２３が溝部１２ｄに挿入されることによって、挟持部１２が蓋２３に挟持されて支持される。図中１２ｅは、連接部１２ｂに略平行して設けられた補強部で、コ字状をなす板材が両端の軸受部１２ａの内面にスポット溶接等で固定され一体化されている。
【００２７】
なお、図２（ａ）に示す、支持部１１の幅寸法ａ、挟持部１２の幅寸法ｂ、後述する平型蝶番２４の幅寸法ｃは、ｂ＞ａ＞ｃの関係の寸法に形成し、挟持部１２の内側に支持部１１が挿入され、支持部１１の内側に平型蝶番２４が挿入できるように構成する。
【００２８】
ダンパー部１３は、図２（ｃ）に示すように、支持部１１と挟持部１２を、ダンパー作用を有して回動可能に軸支するもので、軸線ａ−ａ上に形成された支持部１１の軸孔１１ｃと挟持部１２の軸孔１２ｃを合致させるようにして、挟持部１２両端の軸受部１２ａの内面側に、支持部１１両端の軸受部１１ａを挿入する。さらに合致した軸孔１１ｃと軸孔１２ｃに対して、支持部１１両端の軸受部１１ａの内側から、両側の合致した軸孔１１ｃ、１２ｃに、それぞれ１本ずつのボルト１４を挿通し、それぞれを１個ずつのナット１５で締め付けて固定する。
【００２９】
このボルト１４とナット１５の締め付け力による摩擦抵抗によって、挟持部１１両端の軸受部１１ａと支持部１２両端の軸受部１２ａが摩擦係合され、合致した軸孔１１ｃ、１２ｃを中心とする回動方向、すなわち、支持部１１と挟持部１２の軸孔１１ｃ、１２ｃを中心とする開閉方向に対してダンパー作用を得ることができる（図３（ａ）（ｂ））。
【００３０】
本実施例においては、支持部１１の軸孔１１ｃの外側と挟持部１２の軸孔１２ｃ周囲の内側との間にファイバー製のワッシャー１６ａを、挟持部１２の軸孔１２ｃ周囲の外側とナット１５との間にファイバー製のワッシャー１６ｂ、平ワッシャー１７、波ワッシャー１８の順に挿入し、ボルト１４とナット１５を締め付けることにより、より強く確実な摩擦抵抗が得られるように構成した。
【００３１】
次に、上記に構成されたヒンジ型ダンパー装置１０を用いたローホリゾントライトの構成について説明する。本実施例のローホリゾントライト２０は、図４に示すように、ホリゾント面を照明する光源２１、光源を収納する本体２２、本体の開口部を開閉する蓋２３、蓋と本体を開閉可能に支持する重量用の平型蝶番２４、この平型蝶番に支持部１１と挟持部１２が支持され、蓋２３を本体２２に対しダンパー作用を有して開閉可能にする上述したヒンジ型ダンパー装置１０で構成する。
【００３２】
光源２１は、一部を切り欠いて示す図４（ａ）に示すように、３００〜１０００Ｗ、具体的には５００Ｗ程度のハロゲンランプからなり、反射体２１ａ内に略水平方向に配設されて１台の器具本体Ａが構成される。この光源２１および反射体２１ａを有する器具本体Ａは、本実施例では４台用意され、架台２２内に収納される。
【００３３】
架台は、光源を収納する本発明の本体２２を構成するもので、斜め上方に開口する開口部２２ａを有する本体ケース２２ｂと、開口部２２ａを開閉する蓋２３で構成され、本ケース２２ｂおよび蓋２３は鋼板からなる板材で構成されている。
【００３４】
蓋２３は、その下辺部が開口部２２ａの下辺部に対して４個の重量用の平型蝶番２４によって取り付けられている。すなわち、図１および図２（ａ）（ｂ）に示すように、平型蝶番の一方の蝶番２４ａには、２個の固定孔２４ａ１が形成され、外面から２個の固定孔２４ａ１に対してボルト２４ａ２が挿通され前面板２２ｃのネジ孔（図示せず）にねじ込まれて固定される。また他方の蝶番２４ｂは、蓋２３の板材の裏面側に当接され、板材の表面側から２個のボルト２４ｂ２が挿通され、蓋２３のネジ孔（図示せず）にねじ込まれて固定される。
【００３５】
これにより、蓋２３は、平型蝶番２４の軸２４ｃを中心軸ｂ−ｂにして、すなわち、蓋２３の下辺部を中心軸にして、蓋の上辺部が本体ケース２２ｂの上面から下面との間を、図４（ｂ）中に矢印で示すように、約１８０度の角度範囲にわたって大きく開閉がなされる。図中２５は、蓋２３の上方に設けられた開閉用のハンドル、２６は本体ケースの下面の後方側に設けられた移動用のキャスタ、２７は本体ケースの前面側に設けられ、光源２１の光の放射方向を調整するアジャスタを兼ねたストッパーである。なお、上記に構成されたローホリゾントライト２０は、高さ寸法ｈが約５００ｍｍ程度、幅寸法ｗが約１０００ｍｍ程度の大きさに構成され、蓋２３は厚さ約１ｍｍ程度の鋼板で構成されている。
【００３６】
上記に構成されたローホリゾントライト２０は、図５に示すように、舞台Ｂのホリゾント面Ｈを照明するために、床面Ｘを掘り込んで形成したピットＰ内に設置されて使用される。
【００３７】
ローホリゾントライト２０は、使用される時には蓋２３が開放され、また使用しない時には、ピットＰ内のゴミや塵埃が侵入しないように閉じられる。この開閉の際、蓋２３は、上記のように幅が約１０００ｍｍ、厚さが約１ｍｍ程度の大きく重い鋼板で構成され、しかも、開閉角度が本体ケース２２ｂの上面から下面との間に、約１８０度の角度範囲にわたって大きく開閉がなされるため、開放するときも、閉じるときも蓋２３が本体ケース２２ｂに対してかなりの衝撃を持って当たる。特に、蓋２３の重量が大きいために大きな衝撃音を伴って開閉されることが多く、一層強い衝撃力が本体ケース２２ｂに加わった場合には、光源２１のハロゲンランプが外れたり、フィラメント切れが発生する。また、架台２２の本体ケース２２ｂが衝撃で動き、設置位置が変わり所定の照明ができなくなる問題も発生する。
【００３８】
このため、本発明では、上述したヒンジ型ダンパー装置１０を、ローホリゾントライト２０に取り付けることにより、蓋２３の開閉動作に対してダンパー作用を付加し、これらの問題を解決することができる。本発明のヒンジ型ダンパー装置１０は、ローホリゾントライト２０に取り付けられている平型蝶番２４を交換することなく、既に取り付けられている平型蝶番２４をそのまま使用して簡単に取り付けることができるものである。
【００３９】
すなわち、その取付作業は、先ず、既に取り付けられている平型蝶番２４の内、本体ケース２２ｂ側に取り付けられている一方の蝶番２４ａを、ボルト２４ａ２を外すことによって取り外す。
【００４０】
次に、一方の蝶番２４ａが外された状態で、ヒンジ型ダンパー装置１０の挟持部１２を他方の外されていない蝶番２４ｂに対向させながら、その溝部１２ｄに蓋２３の板材を挿入し、この溝部で板材を挟持させながら溝部１２ｄの底まで挿入し係止させる（図２（ｂ））。
【００４１】
次に、外された蝶番２４ａと本体ケース２２ｂの前面板２２ｃとの間に、ヒンジ型ダンパー装置１０の支持部１１を挿入して、支持部１１を蝶番２４ａと前面板２２ｃとの間で挟持し、支持部１１の固定孔１１ｄを、蝶番２４ａの固定孔２４ａ１および前面板２２ｃのねじ孔（図示せず）にそれぞれ合致させる。この状態で、外されたボルト２４ａ２をそのまま使用して、合致した固定孔１１ｄ、２４ａ１にボルト２４ａ２を挿通し、前面板２２ｃのネジ孔にねじ込んで固定する。この状態で、平型蝶番２４の中心軸ｂ−ｂとヒンジ型ダンパー装置１０の軸線ａ−ａが一致する（図２（ａ））。
【００４２】
この平型蝶番２４に対するヒンジ型ダンパー装置１０の取付作業は、４個の平型蝶番に対してそれぞれ行い、４個全ての平型蝶番に、１個づつ計４個のヒンジ型ダンパー装置１０を取り付ける。
【００４３】
次に、ダンパー部１３を構成する支持部１１と挟持部１２の両端の軸受部１１ａ、１２ａに設けられた、それぞれ１本づつのボルト１４と、１個づつのナット１５を締め付けて摩擦力を調整する。この調整は、蓋２３を開閉しながら４個のヒンジ型ダンパー装置１０に対して、ボルト１４とナット１５の締め付け力を加減しながら行う。付加するダンパー作用が不足、または、過剰の場合には、これらのボルト１４とナット１５の締め付け力を適宜変えることにより、最適な摩擦力を見つけ出し、最適なダンパー作用を付加するように設定する。
【００４４】
これにより、平型蝶番２４の中心軸ｂ−ｂとヒンジ型ダンパー装置１０の軸心ａ−ａが一致し、蓋２３の開閉に追随して平型蝶番２４と共にヒンジ型ダンパー装置１０の支持部１１と挟持部１２が軸心ａ−ａを中心として開閉される（図３）。この開閉には、ボルト１４とナット１５の締め付け力による摩擦抵抗によって、挟持部１１と支持部１２の両端の軸受部１１ａ、１２ａが摩擦係合され、支持部１１と挟持部１２の軸孔１１ｃ、１２ｃを中心とする開閉方向に対して摩擦力によるダンパー作用が付加され、蓋２３が本体ケース２２ｂに対して、衝撃なく静かに当たるようにすることができ、衝撃を緩和、抑制することができる。特に本実施例においては、ファイバー製のワッシャー１６ａ、１６ｂや、平ワッシャー１７、波ワッシャー１８を設けて、より強く確実な摩擦抵抗が得られるように構成したので、重く大きな蓋２３の開閉に際しても、より確実にダンパー作用を付加させることができる。
【００４５】
なお、上記のように、４個の平型蝶番２４の全てにヒンジ型ダンパー装置１０をそれぞれ取り付けるようにしても、所定の個数、例えば、両側の２個の平型蝶番２４にのみ取り付けるようにして、付加するダンパー作用を弱くする等、既設の蝶番に対してヒンジ型ダンパー装置を取り付ける個数を適宜選択してダンパー作用の強さを調整してもよい。この場合、取り付けたヒンジ型ダンパー装置１０を平型蝶番２４から取りはず際には、上述とは逆に、ボルト２４ａ２を外し、蝶番２４ａと前面板２２ｃとの間からヒンジ型ダンパー装置１０の支持部１１を引き出し、挟持部１２の溝部１２ｄから蓋２３の板材を引き出せば簡単に取り外すことができる。そして、外されたボルト２４ａ２を、そのまま使用して平型蝶番の蝶番２４ａを、ケース本体の側板２３ｃに取り付けるだけよい。これにより、平型蝶番２４は、元の状態に戻り、蓋２３の開閉のための蝶番として、何ら支障なくそのまま使用することができる。
【００４６】
以上、本実施例のヒンジ型ダンパー装置１０によれば、平型蝶番２４の一方の蝶番２４ａに支持される支持部１１と、他方の蝶番２４ｂが取り付けられる蓋２３の板材を溝部１２ｄで挟持することにより支持される挟持部１２と、支持部１１と挟持部１２を、ダンパー作用を有して回動可能に軸支するダンパー部１３を有しているので、既に取り付けられている平型蝶番２４を交換することなく、平型蝶番２４をそのまま使用して蓋２３の開閉操作に有効なダンパー作用を付加することができる。これにより、既に舞台やスタジオに設置され使用されているローホリゾントライトや架台自体をダンパー式の蓋を備えたものに交換することなく、ダンパー作用を蓋に付加することができるので、設備費用を大幅に削減することができる。
【００４７】
同時に、ヒンジ型ダンパー装置のダンパー部１３によって、蓋２３が本体ケース２２ｂに対して、衝撃なく静かに当たるようにすることができ、光源２１のハロゲンランプの外れや、フィラメント切れを防止することができ、さらに、架台２２が衝撃によってピット内で動くことのない、ローホリゾントライトを提供することができる。また、蓋を開閉するためのヒンジが、既存の蝶番２４と本発明のヒンジ型ダンパー装置１０との二重のヒンジ構成となすことができ、強固で故障の少ないローホリゾントライトを提供することができる。
【００４８】
また、ヒンジ型ダンパー装置１０の取付作業は、既に取り付けられている蝶番２４ａのボルト２４ａ２を外し、挟持部１２の溝部１２ｄに蓋２３の板材を挿入して挟持し、支持部１１を外された蝶番２４ａと本体ケース２２ｂとの間に挿入して挟持し、外されたボルト２４ａ２をねじ込めばよく、換言すれば、一方を溝に差し込み他方をねじ止めすればよく、極めて簡単な作業で行うことができる。また、ヒンジ型ダンパー装置１０を固定するために、新たに固定用の格別の孔を形成する等、特別の加工をする必要がなく、一層簡単な作業で行うことができる。さらに、既に空いている固定孔を、そのまま利用し、外されたボルトをそのまま使用することができ、部品点数も増やす必要がなくコスト的に有利なヒンジ型ダンパー装置を提供することができる。また、取外し作業も簡単に行うことができる。
【００４９】
また、ヒンジ型ダンパー装置のダンパー部１３は、ボルト１４とナット１５からなる軸支部で構成し、ボルト１４とナット１５の締め付け力による摩擦抵抗によってダンパー作用を得るようにしたので、簡易な構成で確実なダンパー作用を付加させることができる。また、ダンパー作用の調整もボルトとナットの締め付け力を調整しながら、簡単かつ確実に行うことができる。
【００５０】
以上、本実施例において、ヒンジ型ダンパー装置１０の支持部１１を外された蝶番２４ａと前面板２２ｃとの間に挿入し、挟持して固定するようにしたが、図６に示すように、蝶番２４ａと前面板２２ｃとの間で挟持することなく、蝶番２４ａに支持部１１の固定部１１ｂを外側から被せるようにして配置し、ボルト２４ａ２を固定部１１ｂの外側から挿通して固定するようにしてもよい。また、支持部１１を、平型蝶番２４から外されたボルト２４ａ２で固定するようにしたが、例えば、別個に用意した多少長めのボルトを用いて、より確実に支持するようにしてもよい。また、平型蝶番２４の他方の蝶番２４ｂを蓋２３の裏側に取り付けたが、図７（ａ）に示すように、蓋２３の表面側に取り付けたものであってもよい。
【００５１】
また、ヒンジ型ダンパー装置１０は、ローホリゾントライト２０に既に取り付けられている平型蝶番２４に適合するような寸法に構成したが、例えば、図７（ｂ）に示すように、挟持部１２の溝部１２ｄの長さ寸法を長くし、さらに支部部１１の固定孔１１ｄを長孔で構成するなど、各種機器、装置に取り付けられている多様な蝶番に適合することが可能な寸法に構成して、汎用性を有するヒンジ型ダンパー装置を構成するようにしてもよい。
【００５２】
なお、変形例を示す図６、図７には、図１〜図５と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００５３】
１０  ヒンジ型ダンパー装置
１１  支持部
１２  挟持部
１３  ダンパー部
１４  ボルト
１５  ナット
２０  ローホリゾントライト
２１  光源
２２  本体
２３  蓋
２４  蝶番
【図１】
2011043213.tif 000003
【図２】
2011043213.tif 000004
【図３】
2011043213.tif 000005
【図４】
2011043213.tif 000006
【図５】
2011043213.tif 000007
【図６】
2011043213.tif 000008
【図７】
2011043213.tif 000009